(57)【要約】【課題】肌荒れの原因となる物質を使用することなく、ブラッシングと同時に対象物に対して、殺菌及び抗菌性を付与することができるブラシを提供する。【解決手段】ブラシ歯が植設されたブラシ歯面を有し、抗菌性を有する金属イオン水を前記ブラシ歯面側に吐出する。【選択図】  図１
2006271854.tif 000002
【特許請求の範囲】
【請求項１】
ブラシ歯が植設されたブラシ歯面を有し、抗菌性を有する金属イオン水を前記ブラシ歯面側に吐出することを特徴とするブラシ。
【請求項２】
前記金属イオン水は、水に抗菌性を有する金属イオンを付与して金属イオン水を生成する金属イオン水生成手段により生成されることを特徴とする請求項１に記載のブラシ。
【請求項３】
水を貯水する貯水タンクと、
前記水に抗菌性を有する金属イオンを付与して金属イオン水を生成する金属イオン水生成手段と、
ブラシ歯が植設されたブラシ歯面を具備するブラシ歯基部と、を備えたブラシであって、
前記貯水タンクは、前記ブラシ歯基部の前記ブラシ歯面とは異なる面に設けられており、
前記ブラシ歯面側に前記金属イオン水を吐出することを特徴とするブラシ。
【請求項４】
水を貯水する貯水タンクと、
前記水に抗菌性を有する金属イオンを付与して金属イオン水を生成する金属イオン水生成手段と、
ブラシ歯が植設されたブラシ歯面を具備するブラシ歯基部と、を備えたブラシであって、
前記金属イオン水生成手段は、前記貯水タンク内に設けられており、
前記貯水タンクは、前記ブラシ歯基部の前記ブラシ歯面とは異なる面に設けられており、
前記ブラシ歯面側に前記貯水タンク内の金属イオン水を吐出することを特徴とするブラシ。
【請求項５】
前記金属イオン水生成手段は、電圧を印加し電流を流すことで金属イオンを溶出する金属電極を備えることを特徴とする請求項２から請求項４までのいずれか１項に記載のブラシ。
【請求項６】
前記金属電極に印加する電圧と電圧を印加する時間との少なくとも一方を変化させることができることを特徴とする請求項５に記載のブラシ。
【請求項７】
前記金属イオン水生成手段は、電池により駆動することを特徴とする請求項５または請求項６に記載のブラシ。
【請求項８】
前記金属イオン水生成手段は、金属イオンを含有している金属イオン含有物質から金属イオンを溶出することを特徴とする請求項２から請求項４までのいずれか１項に記載のブラシ。
【請求項９】
前記ブラシ歯基部は前記ブラシ歯面と前記貯水タンクとを連通する給水経路を備え、前記給水経路を介して前記貯水タンク内の水が前記ブラシ歯面に吐出されることを特徴とする請求項３から請求項８までのいずれか1項に記載のブラシ。
【請求項１０】
前記ブラシ歯は内部に中空部と、前記中空部と前記ブラシ歯の表面とを連通する吐出孔とを備え、前記中空部は前記ブラシ歯基部を介して前記貯水タンクと連通され、前記貯水タンク内の水は、前記吐出孔から吐出されることを特徴とする請求項３から請求項８までのいずれか1項に記載のブラシ。
【請求項１１】
前記ブラシ歯面側に供給する前記金属イオン水の供給量を調整することができる供給量調整手段を備えたことを特徴とする請求項１から請求項１０までのいずれか1項に記載のブラシ。
【請求項１２】
前記貯水タンク内に貯水された水を加熱する加熱手段を備えたことを特徴とする請求項１から請求項１１までのいずれか1項に記載のブラシ。
【請求項１３】
前記ブラシ歯面側に空気を送風する送風手段を備えたことを特徴とする請求項１から請求項１２までのいずれか1項に記載のブラシ。
【請求項１４】
前記ブラシ歯の根元とブラシ歯の先端との間をスライド可能であるスライド板を備えたことを特徴とする請求項１から請求項１３までのいずれか1項に記載のブラシ。
【発明の詳細な説明】
【技術分野】
【０００１】
本発明は、ブラッシング対象物に対し、殺菌及び抗菌性を付与することができるブラシに関する。
【背景技術】
【０００２】
ブラッシングする対象物をブラッシングすると同時に、対象物のブラッシングした部分を殺菌するブラシや、ブラシ自身にカビや雑菌が繁殖しないようにするブラシが考案されている。
【０００３】
例えば、特開平９−３５０号公報（特許文献１）では、ヘアブラシ本体中に高電圧発生部と、高電圧発生部と接続した放電部を有しており、放電部において、オゾンとイオンを発生させ、毛髪や頭皮をブラッシングしたりバッティングしたりする際に、ヘアブラシ本体の下面に多数形成したエア吹出孔から毛髪や頭皮に向けて、オゾンと、正負いずれかのイオンとを含む空気を吹出させて、毛髪や頭皮を殺菌していた。
【０００４】
特開２００３−１７４９３４号公報（特許文献２）では、処理剤タンクを備えたブラシであって、シャンプー、リンス、消臭剤、殺虫剤などを処理剤タンクに収納し、ブラシ歯を軸方向に貫通する導通路を介してブラシ歯の先端や根部近傍の処理剤吐出口から処理剤タンク内の処理剤が吐出される仕組みになっており、赤ん坊の髪の毛や、犬や猫などのペットの毛に対して、ブラッシングやグルーミングを行えるブラシが記載されている。
【０００５】
実開平７−３６９１０号公報（特許文献３）では、整髪具本体の毛髪に接触する面に露出する液状体滲み出し材により、液状体をブラッシングするのみで均一に塗布することができるブラシが記載されている。
【０００６】
また、実開平５−９３８６号公報（特許文献４）では、銀イオンを徐々に溶出する銀イオン含有溶解性ガラスを含む合成樹脂を素材として浴室用品例えばマット、ボディブラシ等を製作し、一定速度で銀イオンを溶出させて、カビ、雑菌等が繁殖しにくい製品を提供している。この浴室用品は、仮に人体に接触した場合においても抗菌作用を生じるだけで、人体に無害であることが記載されている。
【特許文献１】特開平９−３５０号公報
【特許文献２】特開２００３−１７４９３４号公報
【特許文献３】実開平７−３６９１０号公報
【特許文献４】実開平５−９３８６号公報
【発明の開示】
【発明が解決しようとする課題】
【０００７】
しかしながら、特開平９−３５０号公報（特許文献１）では、オゾンを発生させていることで殺菌効果はあるものの、オゾンは濃度が高くなると人体に影響が出始め、日本産業衛生学会では許容濃度が０．１ｐｐｍ以下に定められている。オゾンの殺菌効果は強力であるため、人体や生体に用いると人体や生体に悪影響（例えば、頭痛）を与える可能性が危惧される。また、オゾン臭発生の可能性もある（個人差はあるがオゾン濃度が０．０１〜０．０５ｐｐｍでオゾン臭を感じる使用者がいる場合がある）。このような点から、オゾン臭は、その濃度では人体に害を及ぼすまでもないとしても、臭いによりユーザーに不安感を与えることなどが危惧される。さらに、オゾンの殺菌効果は一時的であるため、オゾンの発生を続けない限り、対象物に対する長期間の抗菌効果を得ることはできない。
【０００８】
また、特許文献２００３−１７４９３４号公報（特許文献２）と実開平７−３６９１０号公報（特許文献３）では、目的とする処理を行うときにその目的に見合った処理剤をわざわざ供給しなければならず、例えば、対象物の殺菌や抗菌を行いたい時に必要な処理剤を所有していない、或いは不足している場合には、処理剤を購入する必要があり、購入するために手間隙が掛かる可能性があった。また、そういった処理剤の原料中に界面活性剤等の物質が含まれているため、肌荒れが気になる使用者、また炎症を起こしている使用者には使用しにくい可能性がある。
【０００９】
また、実開平５−９３８６号公報（特許文献４）では、浴室がもともとカビや雑菌の繁殖しやすい環境にあることから、浴室用品に発生するカビや雑菌が繁殖しにくくすることを目的としており、例えばブラッシング対象物に銀イオンを付与することを目的としていない。
【００１０】
本発明の目的は、ブラッシングと同時に金属イオン水を対象物に供給し、殺菌性・抗菌性を付与するブラシを提供することである。
また、本発明の目的は、ブラッシングと同時に金属イオン水を髪、毛、表皮等に供給し、殺菌性・抗菌性を付与する体毛用のブラシを提供することである。
更に、本発明の目的は、たいていの場所にある水を利用し、ブラッシングと同時に対象物に対して、持続性のある殺菌性・抗菌性を持つ金属イオン水を付与することができるブラシを提供することである。
【課題を解決するための手段】
【００１１】
この発明に従ったブラシは、ブラシ歯が植設されたブラシ歯面を有し、抗菌性を有する金属イオン水を前記ブラシ歯面側に吐出することを特徴とする。
【００１２】
この構成によると、対象物をブラッシングする際に、金属イオン水を対象物に付与することで、ブラッシングと同時に対象物の殺菌・抗菌・防臭を行うことができる。
【００１３】
この発明のブラシにおいては、金属イオン水は、水に抗菌性を有する金属イオンを付与して金属イオン水を生成する金属イオン水生成手段により生成されることが好ましい。
【００１４】
このような構成にすれば、金属イオン水生成手段に水を供給することで、金属イオン水を生成することができる。
【００１５】
この発明に従ったブラシは、水を貯水する貯水タンクと、水に抗菌性を有する金属イオンを付与して金属イオン水を生成する金属イオン水生成手段と、ブラシ歯が植設されたブラシ歯面を具備するブラシ歯基部とを備えたブラシであって、貯水タンクは、ブラシ歯基部のブラシ歯面とは異なる面に設けられており、ブラシ歯面側に金属イオン水を吐出することを特徴とする。
【００１６】
この構成によると、貯水タンクに水を供給し、抗菌性のある金属イオンを水に付与することで殺菌・抗菌性を有する金属イオン水を生成することができる。また、対象物をブラッシングする際に、金属イオン水を対象物に付与することで、ブラッシングと同時に対象物の殺菌・抗菌・防臭を行うことができる。また、たいていの場所にある水を貯水タンクに供給できれば良いので、ユーザーはトリートメントやグルーミングに必要な処理剤を購入する必要が無い。
【００１７】
この発明に従ったブラシは、水を貯水する貯水タンクと、水に抗菌性を有する金属イオンを付与して金属イオン水を生成する金属イオン水生成手段と、ブラシ歯が植設されたブラシ歯面を具備するブラシ歯基部とを備えたブラシであって、金属イオン水生成手段は、貯水タンク内に設けられており、貯水タンクは、ブラシ歯基部の前記ブラシ歯面とは異なる面に設けられており、ブラシ歯面側に貯水タンク内の金属イオン水を吐出することを特徴とする。
【００１８】
この構成によると、貯水タンクに水を供給し、抗菌性のある金属イオンを貯水タンク内の水に付与することで殺菌・抗菌性を有する金属イオン水を生成することができる。また、対象物をブラッシングする際に、金属イオン水を対象物に付与することで、ブラッシングと同時に対象物の殺菌・抗菌・防臭を行うことができる。また、たいていの場所にある水を貯水タンクに供給できれば良いので、ユーザーはトリートメントやグルーミングに必要な処理剤を購入する必要が無い。
【００１９】
この発明のブラシにおいては、金属イオン水生成手段は、電圧を印加し電流を流すことで金属イオンを溶出する金属電極を備えることが好ましい。
【００２０】
このような構成にすれば、金属電極を電気分解して、抗菌性のある金属イオンを水に付与することで、殺菌・抗菌性を有する金属イオン水を生成することができる。
【００２１】
この発明のブラシにおいては、金属電極に印加する電圧と電圧を印加する時間との少なくとも一方を変化させることができることが好ましい。
【００２２】
このような構成にすれば、金属イオン水の濃度を調整することが可能となる。
【００２３】
この発明のブラシにおいては、金属イオン水生成手段は、電池により駆動することが好ましい。
【００２４】
このような構成にすれば、ブラシで使用する電力を電源コードを通じて商用電源から取る必要がなく、付近に商用電源が無いところで使用できる。また、持ち運びが自在であるので、例えば、乳幼児やペット等に対する使用快適性が向上する。
【００２５】
この発明のブラシにおいては、金属イオン水生成手段は、金属イオンを含有している金属イオン含有物質から金属イオンを溶出することが好ましい。
【００２６】
この構成によると、抗菌性のある金属イオンを含有している金属イオン含有物質から水に金属イオンを溶出することで殺菌・抗菌性を有する金属イオン水を生成することができる。また、電気分解により金属イオンを溶出する方法と比較すると、金属電極や電気回路等が不必要となるため、ブラシの重量を軽減することができる。
【００２７】
この発明のブラシにおいては、ブラシ歯基部はブラシ歯面と貯水タンクとを連通する給水経路を備え、給水経路を介して貯水タンク内の水がブラシ歯面に吐出されることが好ましい。
【００２８】
このような構成にすれば、貯水タンク内の水がブラシ歯面に吐出されるため、ブラシ歯の根元からブラシ歯に金属イオン水を付与することができる。また、ブラシ歯としてブリッスル束を使用したブラシにおいては毛細管現象によりブラシ歯全体に金属イオン水が行き渡らすことも可能となる。
【００２９】
この発明のブラシにおいては、ブラシ歯は内部に中空部と、中空部とブラシ歯の表面とを連通する吐出孔とを備え、中空部はブラシ歯基部を介して貯水タンクと連通され、貯水タンク内の水は、吐出孔から吐出されることが好ましい。
【００３０】
このような構成にすれば、貯水タンク内の水がブラシ歯に設けられた吐出孔から吐出されるため、ブラシ歯の任意の場所から金属イオン水を吐出することができる。
【００３１】
この発明のブラシにおいては、ブラシ歯面側に供給する金属イオン水の供給量を調整することができる供給量調整手段を備えることが好ましい。
【００３２】
このような構成にすれば、金属イオン水を必要な量だけブラシ歯に供給することが可能となるので、使用目的に応じて金属イオン水の供給量を調整することができ、使用性が向上する。
【００３３】
この発明のブラシにおいては、貯水タンク内に貯水された水を加熱する加熱手段を備えることが好ましい。
【００３４】
このような構成にすれば、貯水タンク内の水を対象物に応じた適切な温度にすることができる。
【００３５】
この発明のブラシにおいては、前記ブラシ歯面側に空気を送風する送風手段を備えることが好ましい。
【００３６】
このような構成にすれば、対象物に金属イオン水を付与することで、対象物が濡れたとしても、対象物に対して送風することで対象物を乾かすことができる。また、給水タンク内にも送風すれば、使用後に乾燥させることができる。
【００３７】
この発明のブラシにおいては、ブラシ歯の根元とブラシ歯の先端との間をスライド可能であるスライド板を備えることが好ましい。
【００３８】
このような構成にすれば、ブラシ歯に毛やホコリなどが絡まったとしても容易に取り除くことができるので、毛やホコリがブラシ歯面側への金属イオン水の吐出を妨げる可能性を低減することができる。
【発明の効果】
【００３９】
本発明によると、対象物をブラッシングする際に、金属イオン水を対象物に付与することで、ブラッシングと同時に対象物の殺菌・抗菌・防臭を行うことができる。
溶媒が水であるので、水を供給することにより手軽に、殺菌・抗菌性を有する金属イオン水を生成することができる。
【発明を実施するための最良の形態】
【００４０】
本発明のブラシの一つの実施の形態を図に従って説明する。
【００４１】
図１は本発明の第１の実施の形態に係るブラシ１の斜視図、図２はブラシを垂直面で切断したときの概略垂直断面図、図３は電気的接続を表すブロック図である。ブラシ１は、水を貯水する貯水タンク２と、対象物をブラッシングするブラシ歯３が植設されたブラシ歯基部４と、蓋５と、ブラシ柄６とから構成されている。貯水タンク２、ブラシ歯３、ブラシ歯基部４、蓋５、ブラシ柄６は合成樹脂を素材としており、貯水タンク２は透明なアクリル樹脂を素材として内部を外部から確認できるようになっている。貯水タンク２の一部は開口しており、開口部を覆うように蓋５が着脱可能に配設されている。蓋５には水を出し入れできる給水口７が設けられている。また、貯水タンク２の内部には金属イオン水生成手段として金属電極である一対の銀電極８ａ、８ｂが設けられている。銀電極８ａ、８ｂの大きさは２０ｍｍ×５０ｍｍ、厚さ１ｍｍ程度であり、約５ｍｍの距離を隔てて配設されている。ブラシ柄６の内部には、銀電極８ａ、８ｂに電圧を印加し電流を流す等の制御を行う制御部９、制御部９や銀電極８ａ、８ｂに電力を供給する電源である電池１０が設けられている。また、ブラシ柄６にはプッシュスイッチ１１が設けられている。また、ブラシ歯３を覆うためのブラシ歯キャップ１５が別体として設けられている。図３からわかるように、銀電極８ａ、８ｂは制御部９に接続されている。制御部９はプッシュスイッチ１１と接続されており、電池１０はプッシュスイッチ１１に接続されており、プッシュスイッチ１１をＯＮ、ＯＦＦすることで電池１０から制御部９への通電、非通電が切り替えられる。なお、電池１０としては、乾電池、ボタン電池、充電池などがある。また、スイッチとしてはプッシュスイッチ１１以外に、スライドスイッチや、ロータリースイッチなどを使用しても良い。
【００４２】
図４は貯水タンク２と、ブラシ歯３と、ブラシ歯基部４との接続部分の垂直断面の一部を拡大した図である。ブラシ歯基部４は、内部が中空状（以後、ブラシ歯基部中空部４ａと呼ぶ）になっており、貯水タンク２が配設される面である貯水タンク面４ｃには、貯水タンク２とブラシ歯基部中空部４ａとを連通する連通孔４ｄが設けられている。また、ブラシ歯３は、一端がブラシ歯基部中空部４ａの内部に突出するようにブラシ歯面４ｂ側に植設されている。ブラシ歯３は、内部が中空状（以後、ブラシ歯中空部３ａと呼ぶ）になっており、対象物をブラッシングする部分には、ブラシ歯中空部３ａとブラシ歯の表面とを連通する吐出孔である銀イオン水吐出孔３ｂが複数設けられている。また、ブラシ歯基部中空部４ａに突出した部分には、ブラシ歯中空部３ａとブラシ歯基部中空部４ａとを連通する第１連通孔３ｃが複数設けられている。なお、銀イオン水吐出孔３ｂの大きさは、実験により、適切な大きさを用いればよい。また、銀イオン水吐出孔３ｂ、第１連通孔３ｃの数は、複数でなく１つずつであってもよい。
【００４３】
続いて使用方法及び制御部９の動作について説明する。まず、ブラシ歯キャップ１５をブラシ歯３に被せておき、銀イオン水吐出孔３ｂから銀イオン水が漏れないようにしておく。続いて、給水口７から貯水タンク２内に銀電極８ａ、８ｂが浸かり、かつ既定の水量まで水（例えば、水道水）を入れ、給水口７を図示しないキャップ等で水が漏れないように栓をする。次にプッシュスイッチ１１をＯＮすると、電池１０から制御部９に電力が供給される。制御部９にはマイコン（図示せず）があり、マイコンにより、銀電極８ａ、８ｂへの電圧の印加及び電流の供給の制御が行われる。銀電極８ａ、８ｂが水中に浸かった状態で、制御部９により銀電極８ａ、８ｂ間に電圧が印加され電流が流れると、陽極側の銀電極において、Ａｇ→Ａｇ+＋ｅ-の反応が起こり、水中に銀イオン（Ａｇ+）が溶出する。銀イオン（Ａｇ+）が溶出しつづければ陽極側の銀電極は減耗していく。銀電極８ａまたは８ｂから溶出する銀イオンは、優れた殺菌効果及び防カビ効果を発揮する。なお、ここでいう抗菌・殺菌とは、菌を殺菌・抗菌することだけでなく、ウイルスを不活化することも含む。また、銀イオンによりウイルスが不活化されることは、「銀イオン水  Ｌ．Ａ．クリスキー著  新日本鋳鍛造協会（出版会）  １９９３年」に記載されている。
【００４４】
他方陰極側の銀電極では、Ｈ+＋ｅ-→１／２Ｈ2の反応が生じ、水素が発生するとともに、水中に含まれるカルシウムなどが炭酸カルシウムなどのカルシウム化合物のスケールとして銀電極の表面に析出する。
【００４５】
また電極の成分金属である銀の塩化物及び硫化物が表面に発生する。従って、使用が長期にわたると、炭酸カルシウムや塩化物や硫化物などのスケールが電極表面に厚く堆積し、金属イオンである銀イオンの溶出を妨げる。このため、銀イオンの溶出量が不安定になったり、電極の減耗が不均一になったりする。そこで、制御部９は、銀電極８ａ、８ｂ間の印加電圧の極性反転を一定周期Ｔ毎（例えばＴ＝０．１秒毎）に行うことにより、銀電極８ａ、８ｂへのスケールの付着および、一方の銀電極のみが消耗してしまうことを防いでいる。
【００４６】
図５は上述した銀電極８ａ、８ｂ間の印加電圧の極性反転を行う極性反転回路の回路図である。極性反転回路は図５（Ａ）に示すように、制御部９内に設けられており、４つのＮＰＮトランジスタから構成されている。なお、ＴｒＡはトランジスタ９ａ、ＴｒＢはトランジスタ９ｂ、ＴｒＣはトランジスタ９ｃ、ＴｒＤはトランジスタ９ｄに対応している。各トランジスタのベースはマイコン（図示せず）に接続されており、マイコンにより各トランジスタのＯＮ、ＯＦＦが制御される。トランジスタ９ａとトランジスタ９ｂのコレクタは、それぞれ電池１０のプラス極側に接続され、トランジスタ９ｃとトランジスタ９ｄのコレクタは、それぞれ電池１０のマイナス極側に接続されている。また、トランジスタ９ａとトランジスタ９ｄのエミッタは、それぞれ銀電極８ａに接続され、トランジスタ９ｂとトランジスタ９ｃのエミッタは、それぞれ銀電極８ｂに接続されている。
【００４７】
図５（Ｂ）は各トランジスタのベースへの印加電圧の状態を示すタイミングチャートである。ベースへの印加電圧がＨ（Ｈｉｇｈ）となるとトランジスタはＯＮ、ベースの印加電圧がＬ（Ｌｏｗ）となるとトランジスタはＯＦＦとなる。なお、本実施例においては、Ｈｉｇｈ＝５Ｖ、Ｌｏｗ＝０Ｖである。例えば、トランジスタ９ａのベースがＨ、トランジスタ９ｂのベースがＬ、トランジスタ９ｃのベースがＨ、トランジスタ９ｄのベースがＬである場合、銀電極８ａが陽極となり、銀電極８ｂが陰極となる。また、トランジスタ９ａのベースがＬ、トランジスタ９ｂのベースがＨ、トランジスタ９ｃのベースがＬ、トランジスタ９ｄのベースがＨである場合、銀電極８ａが陰極となり、銀電極８ｂが陽極となる。
【００４８】
このように、上記トランジスタ９ａ、トランジスタ９ｂ、トランジスタ９ｃ、トランジスタ９ｄのベースへの印加電圧を変化させて、トランジスタ９ａからトランジスタ９ｄのＯＮ、ＯＦＦを一定周期Ｔ毎に変化させることで銀電極８ａ、８ｂの極性反転を行うことができる。
【００４９】
なお、金属電極としては、銀電極以外にも、抗菌性を有する金属イオンを溶出可能な金属であれば良く、具体的には、銅、銀と銅との合金、亜鉛などが選択可能である。銀電極から溶出する銀イオン、銅電極から溶出する銅イオン、または亜鉛電極から溶出する亜鉛イオンは、優れた殺菌効果及び防カビ効果を発揮する。銀と銅との合金からは銀イオンと銅イオンとを同時に溶出させることができる。また、陽極が金属イオンを溶出する電極で、陰極が金属イオンを溶出しない電極であっても良い。電極形態が２枚以上（複数）の電極から構成される場合は、すべて同じ材質の金属電極であっても良いし、いずれかが金属電極で、他の電極が非金属電極（例えば、チタン、メッキの電極、炭素電極、導電性プラスチックなど）であっても良い。さらには、イオン化しにくい金属電極（例えば、貴金属である白金、金など）であってもよい。あるいは、材質の異なる複数の金属電極（例えば、銀電極と銅電極など）から構成されていても良い。
【００５０】
銀イオンの溶出は、電流値を一定として、電圧の印加時間を調節するいわゆる定電流制御により行う。例えば、貯水タンク２の容量が１００ｃｍ3（１００ｃｃ、１００ｍｌ）あり、既定の水量が１００ｃｍ3（１００ｃｃ、１００ｍｌ）である場合、１００ｃｍ3の水を貯水タンク２に供給し、その水に約２９ｍＡの電流を銀電極８ａ、８ｂ間に約０．３秒間流すことで約９０ｐｐｂの銀イオン水を得ることができる。また、銀イオンの溶出量は電気量（Ｃ）＝一定電流値（Ａ）×時間（sec）に比例するので、電流値が一定であれば、電圧の印加時間を調節することで、所望濃度の銀イオン水を得ることができる。このように、銀電極８ａ、８ｂに一定電流を所定時間流すことで水量に応じた所望の銀イオン濃度を得ることができる。なお、様々な濃度の銀イオン水を得ることができるように、電流値と時間の組合せを、実験により予め求めておくことが好ましい。なお、貯水タンク２の容量や、既定の水量は１００ｃｍ3（１００ｃｃ、１００ｍｌ）に限らない。
【００５１】
マイコンは所定時間（本実施例では約０．３秒）が経過すると銀電極８ａ、８ｂへの電圧の印加を終了させる。すなわち、トランジスタ９ａ、トランジスタ９ｂ、トランジスタ９ｃ、トランジスタ９ｄのベースの印加電圧をＬ（Ｌｏｗ）にする。こうして、銀イオンの溶出を終了させ、抗菌性をもつ銀イオン水の生成を終了する。ブラシ歯キャップ１５を取り外すと、貯水タンク２内の銀イオン水は、貯水タンク２から連通孔４ｄを通ってブラシ歯基部中空部４ａに流れ込み、ブラシ歯基部中空部４ａから第１連通孔３ｃを通ってブラシ歯中空部３ａへと流れ、ブラシ歯中空部３ａから銀イオン水吐出孔３ｂからブラシ歯３の表面に吐出される。
【００５２】
この状態で対象物のブラッシングを行うと、ブラッシングと同時に銀イオン水が対象物に付与され、対象物の殺菌・抗菌が行われることになる。例えば、人や動物から排出される汗や分泌物を皮膚に存在する常在菌が分解することにより、汗臭さなどの匂いが発生するが、ブラッシング（または髪や毛を梳くこと）により、髪や毛、皮膚に銀イオンを付着させ、この銀イオンにより細菌を殺菌し、繁殖を抑える抗菌性を付与することができる。なお、銀は、金属アレルギーが起こりにくいといわれており、肌荒れの原因に成り易い物質を使用することなく、銀イオンにより対象物の殺菌・抗菌を行うことができる。このように、本発明のブラシは、例えば、ヘアブラシやペット用ブラシとして使用することができる。
【００５３】
なお、ユーザーの必要に応じた銀イオン水濃度（金属イオン濃度）を得ることができるように、濃度設定ボタンなどを設けてもよい。例えば、１００ｃｍ3（１００ｃｃ）の水に一定電流を所定時間流して所望の銀イオン濃度を得たい場合、９０ｐｐｂのボタンを押すと０．３秒間電流が流れ、１８０ｐｐｂのボタンを押すと０．６秒間電流が流れるというように複数のボタンにて所望の銀イオン濃度が設定できるようにしておけばよい。
【００５４】
あるいはまた、１００ｃｍ3（１００ｃｃ）の水に所定電流を一定時間流して所望の銀イオン濃度を得たい場合、９０ｐｐｂのボタンを押すと約２９ｍＡの電流が０．３秒間流れ、１８０ｐｐｂのボタンを押すと約５８ｍＡの電流が０．３秒間流れるというように複数のボタンにて所望の銀イオン濃度が設定できるようにしておけばよい。
【００５５】
あるいはまた、ジョグタイヤルなどを用いて、リニア（所定範囲内で自由に）に銀イオン濃度を設定できるようにしてもよい。
【００５６】
あるいはまた、電流を流す時間は一定にして貯水タンク２に供給する水量を調節することにより、銀イオン水濃度の調整を行ってもよい。貯水タンク２には目盛りを表記しておくのが好ましい。例えば、電流が約２９ｍＡ、時間が約０．３秒と固定されている場合、１００ｃｍ3（１００ｃｃ）の水を９０ｐｐｂにしようとすると電極間に電流を０．３秒流せばよく、濃度２倍の１８０ｐｐｂの銀イオン水が欲しい場合は、水量を２分の１の５０ｃｍ3（５０ｃｃ）にして、電極間に電流を０．３秒流せばよい。
【００５７】
このように、より強力な殺菌・抗菌が必要な場合に、銀イオン水の濃度制御を自在に設定できるようにすることによりニーズに応じた濃度の金属イオン水をユーザーに提供することができる。
【００５８】
蓋５は、貯水タンク内を清掃するときや水を入れるときなどに取り外して使用すればよい。
【００５９】
また、蓋５は、柔軟性のある材料（例えば、硬質ゴム、柔軟性のある合成樹脂）から製作してもよい。その場合、貯水タンク２と蓋５を密着するように設置して貯水タンク２内の気密性を高くする。このようにすれば、蓋５を押圧すると、貯水タンク２に圧がかかるので、ブラシ歯３に設けられている銀イオン水吐出孔３ｂからの銀イオン水の吐出量を、蓋５を押圧しない場合に比べて増やすことが可能になる。
【００６０】
また、蓋５で閉じられていた給水タンク２の開口部をなくしてもよい。この場合、貯水タンク２に直接給水口７を設けるようにすればよく、蓋５がいらなくなるため、コストダウンにつながる。また、蓋５を紛失してしまった場合に、ブラシ１の開口部を塞ぐことができず水漏れなどの問題が生じるためにブラシ１が使用不能になるといった事態を防ぐことができる。
【００６１】
また、本実施例では、電源として電池を利用しているが、商用電源から電源コードを通じて電源を供給する構成であっても良い。また、電池と商用電源のどちらからでも電源を供給できる構成であっても良い。
【００６２】
なお、本発明においては、水に金属イオンを付与して金属イオン水を生成し、生成される金属イオン水中の金属イオン濃度（銀イオン水中の銀イオン濃度）も非常に低濃度であるため、敏感肌の使用者にも使用可能である。
【００６３】
図６は、本発明の第２の実施の形態に係るブラシ１の概略垂直断面図である。第２の実施の形態において、前述の実施例について説明した構成部分と同じ部分については同一符号を付し、その説明を省略する。
【００６４】
図６（Ａ）はブラシ１の概略垂直断面図、図６（Ｂ）は第６の実施の形態に係るブラシ１のブラシ歯３とブラシ歯基部４周辺の概略垂直断面の拡大図である。ブラシ歯基部４に中空部が設けられておらず、ブラシ歯３の一端が貯水タンク２内に突出している。なお、本実施例においては、ブラシ歯キャップ１５は図示していない。ブラシ歯３の貯水タンク２内に突出している部分には、ブラシ歯中空部３ａと貯水タンク２内とを連通する第１連通孔３ｃが複数設けられている。また、対象物をブラッシングする部分には、ブラシ歯中空部３ａとブラシ歯の表面とを連通する吐出孔である銀イオン水吐出孔３ｂが複数設けられている。なお、銀イオン水吐出孔３ｂ、第１連通孔３ｃの大きさは、実験により、適切な大きさを用いればよい。また、銀イオン水吐出孔３ｂ、第１連通孔３ｃの数は、複数でなく１つずつであってもよい。
【００６５】
本実施例においては、ブラシ歯基部４の構成が第１の実施例より簡単であるため、製造工程が容易になるという利点がある。
【００６６】
図７は、本発明の第３の実施の形態に係るブラシ１の概略垂直断面図である。第３の実施の形態において、前述の他の実施例について説明した構成部分と同じ部分については同一符号を付し、その説明を省略する。
【００６７】
本実施例においては、貯水タンク面４ｃに、貯水タンク２とブラシ歯基部中空部４ａとを連通する連通孔４ｄがひとつ設けられている。この連通孔４ｄを水密に塞ぐように止水弁１２が貯水タンク２内に設けられている。止水弁１２は、その一端に円錐部１２ａを有している。この円錐部１２ａは、ゴムなどの弾力性のある材料から成り、円錐部１２ａを連通孔４ｄに挿入することで、連通孔４ｄを水密に塞ぐことができる。また、連通孔４ｄを水密に塞ぐ位置が定常位置であり、弾性体である「ばね」（図示しない）により、円錐部１２ａは貯水タンク面４ｃに押し付けられている。また、止水弁１２の他端は蓋５を介して外部に突出しており、突出した部分を引き上げることで貯水タンク２と連通孔４ｄが連通し、離すとバネの力により止水弁１２は定常位置に戻り、貯水タンク２と連通孔４ｄは非連通となる。
【００６８】
止水弁１２を少しだけ引き上げると連通孔４ｄと円錐部１２ａの隙間が少しだけ開き、止水弁１２を大きく引き上げると、連通孔４ｄと円錐部１２ａとの隙間が大きくなる。これにより、止水弁１２は、貯水タンク２から連通孔４ｄに流れ込む銀イオン水の水量を調節する供給量調整手段の役割を果たすことができる。
【００６９】
図８は、本発明の第４の実施の形態に係るブラシ１の概略垂直断面図である。第４の実施の形態において、前述の他の実施例について説明した構成部分と同じ部分については同一符号を付し、その説明を省略する。
【００７０】
貯水タンク２とブラシ歯基部中空部４ａとを連通する連通孔４ｄを水密に塞ぐように止水弁１３が貯水タンク２内に設けられている。止水弁１３は、垂直断面がＬ字型を成しており、貯水タンク面４ｃと接する部分である止水部１３ａには孔１３ｂが設けられている。また、止水弁１３の一端はブラシ柄６の内部にてＬ字状に折れ曲がり、ブラシ柄６の外部に突出する突出部１３ｃを有している。突出部１３ｃはスライド可能となっている。突出部１３ｃをスライドさせることで、止水部１３ａもスライドするので、孔１３ｂと連通孔４ｄが連通、非連通を切り替えることができる。突出部１３ｃが「閉側」にあるとき、孔１３ｂと連通孔４ｄは非連通であり、突出部１３ｃが「開側」にあるとき、孔１３ｂと連通孔４ｄは連通する。
【００７１】
突出部１３ｃが「開側」にあるときに、孔１３ｂと連通孔４ｄは完全に連通しているが、突出部１３ｃを、例えば、「開側」と「閉側」の中間地点までしかスライドしていない場合には、孔１３ｂと連通孔４ｄの一部が連通する仕組みになっている。従って、突出部１３ｃをスライドさせる割合を変化させることで、孔１３ｂと連通孔４ｄの連通する割合（０％で閉じている。１００％で完全に連通している）を変化させることができ、これにより、止水弁１３は、貯水タンク２から孔１３ｂを介して連通孔４ｄに流れ込む銀イオン水の水量を調節する供給量調整手段の役割を果たすことができる。
【００７２】
図９（Ａ）は、本発明の第５の実施の形態に係るブラシ１の概略垂直断面図である。第５の実施の形態において、前述の他の実施例について説明した構成部分と同じ部分については同一符号を付し、その説明を省略する。
【００７３】
本実施例においては、貯水タンク２とブラシ歯基部中空部４ａとを連通する連通孔４ｄを水密に塞ぐように止水弁１４が貯水タンク２内に設けられている。止水弁１４は、中心軸Ａを中心に回転可能となっている。また、止水弁１４は、その一端が蓋５を介して外部に突出しており、突出した部分（以後、握り部１４ａと呼ぶ）を有している。また、止水弁１４の他端には、貯水タンク面４ｃと接する部分である円盤状の止水部１４ｂを有している。
【００７４】
図９（Ｂ）は、止水弁１４を握り部１４ａの方向から止水部１４ｂを見下ろしたときの上面図である。なお、図９（Ｂ）には、点線にて貯水タンク２とブラシ歯基部中空部４ａとを連通する連通孔４ｄを複数（本実施例では４つ）示してある。図９（Ｂ）に示すように、止水部１４ｂには円盤状の止水部１４ｂの中心から等距離の位置に複数（本実施例では４つ）の孔１４ｃが設けられている。また、連通孔４ｄも止水部１４ｂの中心から等距離の位置に設けられている。握り部１４ａを回転させることで、止水部１４ｂも回転する。よって、止水部１４ｂが回転し、孔１４ｃと連通孔４ｄとが一部でも重なると、孔１４ｃと連通孔４ｄとが連通する。また、孔１４ｃと連通孔４ｄとが全く重ならなければ、孔１４ｃと連通孔４ｄとは非連通である。
【００７５】
従って、止水部１４ｂを回転させることで、孔１３ｂと連通孔４ｄとが連通する割合（０％で完全に閉じている。１００％で完全に連通している）を変化させることができ、これにより、止水弁１４は、貯水タンク２から孔１３ｂを介して連通孔４ｄに流れ込む銀イオン水の水量を調節する供給量調整手段の役割を果たすことができる。
【００７６】
図１０は、本発明の第６の実施の形態に係るブラシ１の概略垂直断面図である。第６の実施の形態において、前述の他の実施例について説明した構成部分と同じ部分については同一符号を付し、その説明を省略する。
【００７７】
本実施例においては、ブラシ歯３とブラシ歯基部４とが一体となっており、ブラシ歯基部４にブラシ歯面４ｂと貯水タンク面４ｃとを連通する給水経路として面連通孔４ｅが設けられており、ブラシ歯基部４に中空部が設けられていない。また、面連通孔４ｅのブラシ歯面４ｂ側には、目の細かい網１６が、ブラシ歯３同士の隙間を埋めるように配設されている。ブラシ歯面４ｂと貯水タンク面４ｃとを連通する面連通孔４ｅを水密に塞ぐように止水弁１３が貯水タンク２内に設けられている。止水弁１３は、垂直断面がＬ字型を成しており、貯水タンク面４ｃと接する部分である止水部１３ａには孔１３ｂが設けられている。止水弁１３の一端はブラシ柄６の内部にてＬ字状に折れ曲がり、ブラシ柄６の外部に突出する突出部１３ｃを有している。突出部１３ｃはスライド可能となっている。突出部１３ｃをスライドさせることで、止水部１３ａもスライドするので、孔１３ｂと面連通孔４ｅの連通、非連通を切り替えることができる。なお、ブラシ歯３をブラシ歯基部４に植設する構造であってもよい。
【００７８】
図１１は、止水弁１３とブラシ歯基部４が接する部分の拡大図である。図１１（Ａ）は、突出部１３ｃが「閉側」にあるときの孔１３ｂと面連通孔４ｅの状態を示す図であり、図１１（Ａ）からわかるように孔１３ｂと面連通孔４ｅは非連通である。また、図１１（Ｂ）は突出部１３ｃが「開側」にあるときの孔１３ｂと面連通孔４ｅの状態を示す図であり、図１１（Ｂ）からわかるように孔１３ｂと面連通孔４ｅは連通している。
【００７９】
突出部１３ｃが「開側」にあるときに、孔１３ｂと面連通孔４ｅは完全に連通しているが、突出部１３ｃを、例えば、「開側」と「閉側」の中間地点までしかスライドしていない場合には、孔１３ｂと面連通孔４ｅの一部が連通する仕組みになっている。従って、突出部１３ｃをスライドさせる割合を変化させることで、孔１３ｂと面連通孔４ｅの連通する割合（０％で閉じている。１００％で完全に連通している）を変化させることができ、これにより、止水弁１３は、貯水タンク２から孔１３ｂを介して面連通孔４ｅに流れ込む銀イオン水の水量を調節する供給量調整手段の役割を果たすことができる。
【００８０】
網１６は、供給された銀イオン水が銀イオン水自身の表面張力により、網の目内に保持されることができる程度の目幅をもった網が好ましい。これにより、面連通孔１４ｅから吐出される銀イオン水を、銀イオン水の表面張力によりその網目に保持することができる。従って、過剰に銀イオン水が滴り落ちることがなくなる。なお、網１６は、複数の網を重ね合わせた構造であってもよい。
【００８１】
また、網１６に代えて、スポンジを用いても良い。この場合、スポンジはブラシ歯３の根元から１〜２ｍｍ程度の厚さがあれば、銀イオン水を保持することが可能である。あるいは、綿などの布を用いてもよい。また、ブラシ歯としてブリッスル束を使用してもよい。この場合、ブリッスル束の毛細管現象によりブラシ歯全体に金属イオン水が行き渡らすことも可能となる。
【００８２】
図１２は、本発明の第７の実施の形態に係るブラシ１の概略水平断面図及び概略垂直断面図である。図１２（Ａ）が概略水平断面図、図１２（Ｂ）が概略垂直断面図である。第７の実施の形態において、前述の他の実施例について説明した構成部分と同じ部分については同一符号を付し、その説明を省略する。
【００８３】
本実施例においては、貯水タンク２とブラシ歯３、ブラシ歯基部４等から構成されるブラシ部１ａ（図１２（Ａ）の点線で囲んだ部分）と、ブラシ柄６とが着脱自在となっている。貯水タンク２には、接続部２ａが凹形状に形成されている。銀電極８ａ、８ｂは、それぞれその一端が厚みはそのままで幅が細くなる形状を有している。この細くなった部分である一端は接続部２ａの凹部に突出している（以後、接続端子２ｂと呼ぶ）。また、接続部２ａの凹部の貯水タンク２側の壁面（凹部を開口部側から見た場合の凹部の底面）には、磁石１７ａが複数（本実施例では３つ）配設されている。
【００８４】
一方、ブラシ柄６には、接続部６ａが凸形状に形成されている。接続部６ａの凸部には、差込口６ｂが２箇所設けられている。差込口６ｂの大きさは、接続端子２ｂを差し込んだ際に、接続端子２ｂと差込口６ｂの内面とが面接触するように形成されている。差込口６ｂの内面は導電性の金属で形成されており、制御部９に電気的に接続されている。また、接続部６ａの凸部の上面（凸部を突出側から見た場合の突出部の天面）には、複数（本実施例では３つ）の磁石１７ｂが設けられている。なお、磁石１７ａと磁石１７ｂは互いに異なる極（磁石１７ａがＳ極のとき、磁石１７ｂはＮ極。磁石１７ａがＮ極のとき、磁石１７ｂはＳ極）であり、接続部２ａを接続部６ａに接続したときに、互いに接触できる位置にそれぞれ設けられている。
【００８５】
ブラシ部１ａとブラシ柄６とを接続する場合、接続部２ａに接続部６ａを差し込む。このとき、磁石１７ａと磁石１７ｂとの間に働く磁力により、接続部２ａと接続部６ａが接続される。同時に、接続端子２ｂが差込口６ｂに差し込まれるので、接続端子２ｂと差込口６ｂの内面とが接触し、銀電極８ａ、８ｂと制御部９とが電気的に接続される。このようにして、ブラシ部１ａとブラシ柄６が接続した後、プッシュスイッチ１１をＯＮすることで、銀電極８ａ、８ｂに電圧を印加し電流を流すことが可能となる。
【００８６】
なお、磁石の数は、複数でなく一つでもよい。また、磁石１７ａと磁石１７ｂのどちらかを磁石に引き付けられる鉄等の金属に代えても構わない。また、接続部２ａと接続部６ａとの磁石以外の接続方法としては、接続部２ａの凹部の内部周囲壁面（凹部を開口部側から見た場合の凹部内の周囲壁面）に突起部又は溝部を設け、一方接続部６ａの凸部の周囲壁面（凸部を突出側から見た場合の突出部の周囲壁面）に突起部を設け、互いに係止させてもよい。もちろん、磁石を用いる方法と係止する方法を併用してもよい。
【００８７】
図１３は本発明の第８の実施の形態に係るブラシ１の斜視図、図１４は、本発明の第８の実施の形態に係るブラシ１の概略垂直断面図、図１５は本発明の第８の実施の形態に係る電気的接続を表すブロック図である。第７の実施の形態において、前述の他の実施例について説明した構成部分と同じ部分については同一符号を付し、その説明を省略する。
【００８８】
本実施例においては、貯水タンク２内の水を加熱する加熱手段であるヒーター１８が貯水タンク２内に設けられており、ブラシ柄６にはヒーター１８をＯＮ、ＯＦＦするためのスイッチであるプッシュスイッチ１９が設けられている。図１４、図１５からわかるように、ヒーター１８は制御部９に接続されており、プッシュスイッチ１９も制御部９に接続されている。プッシュスイッチ１９をＯＮ、ＯＦＦすることで、ヒーター１８への通電、非通電が切り替えられる。ヒーター１８は、温度を自動制御する機能を持つ棒状ヒーターを使用している。
【００８９】
このような構成とすることで、貯水タンク２内の水の温度を温めることができる。よって、赤ちゃんやペットなどにブラシを使う場合、水温を適温にすることで、冷水によるブラッシングに比べてヒートショックが和らぐ（特に冬場などの気温が低い時）ため、快適で心地よいブラッシングとすることができる。
【００９０】
また、プッシュスイッチ１９に代えてスライドスイッチやロータリースイッチを用いても良い。ロータリースイッチを使用する場合、第１段階は制御部９に通電を行うプッシュスイッチ１１の役割とし、第２段階はヒーター１８に通電するプッシュスイッチ１９の役割とする構成にしても良い。
【００９１】
また、ヒーターとして、面状ヒーター２０を設置しても良い。図１６は、第８の実施の形態に係る貯水タンク２の水平断面図である。図１６に示すように、面状ヒーター２０は、貯水タンク２の内壁面に沿って設置してやればよい。
【００９２】
図１７は本発明の第９の実施の形態に係るブラシ１の概略垂直断面図、図１８は本発明の第９の実施の形態に係る電気的接続を表すブロック図である。第９の実施の形態において、前述の他の実施例について説明した構成部分と同じ部分については同一符号を付し、その説明を省略する。
【００９３】
本実施例においては、ブラシ柄６の内部に送風手段であるファンモータ２５、ファン２１が設けられている。さらに送風手段で送られてくる空気を暖めるための電熱線２２が設けられている。ブラシ柄６にはファンモータ２５への通電をＯＮ、ＯＦＦ、及び電熱線２２への通電をＯＮ、ＯＦＦするためのスイッチであるプッシュスイッチ２３が設けられている。さらにブラシ柄６には、空気吸入口６ｃが設けられており、空気吸入口６ｃには、ゴミやホコリの侵入を防止するためのフィルタ（図示せず）が設けられている。また、ブラシ歯基部中空部４ａと、ブラシ柄６の内部とを連通する連通部を開閉する開閉機構２４がブラシ歯基部４に回転可能に設けられている。
【００９４】
図１７（Ｂ）は、第９の実施の形態に係るブラシ１の開閉機構２４周辺の垂直断面の拡大図、図１７（Ｃ）は、図１７（Ｂ）のＣ−Ｃ線に沿った開閉機構２４とその周辺の概略断面図である。開閉機構２４は、図１７（Ｂ）、図１７（Ｃ）からわかるように、正面形状が円盤状であり、その半円部分には、半円状の貫通部２４ａが設けられ（図１７（Ｃ）では開と表示している）、もう一方の半円部は非貫通部２４ｂ（図１７（Ｃ）では閉と表示している）となっている。開閉機構２４は、その正面とブラシ柄６の軸心方向とが垂直になるように設置されており、中心軸Ｂを中心に回転可能となっている。また、円盤の外円の一部は、外部に露出しており、外部から円盤を回転させることが可能である。貫通部２４ａと非貫通部２４ｂにより、ブラシ歯基部中空部４ａとブラシ柄６の内部とを連通させたり、非連通とさせたりすることが可能である。
【００９５】
図１８からわかるように、ファンモータ２５、電熱線２２は制御部９に接続されており、プッシュスイッチ２３も制御部９に接続されている。ファンモータ２５には、ファン２１が設けられており、ファン２１はファンモータ２５により回転する。ファン２１としては、プロペラファン、シロッコファンなどを用いることができる。熱電線２２は、ドライヤーに見られるようにニクロム線をコイル状に形成したものである。
【００９６】
続いて、動作について説明する。金属イオン水である銀イオン水をブラシ歯３へ供給して対象物をブラッシングする場合、ブラシ歯基部中空部４ａと、ブラシ柄６の内部とが非連通となるように、開閉機構２４を回転させて、非貫通部２４ｂを連通部に合わせる。ブラシ柄６の内部に銀イオン水が流入することを防ぐ。続いて、送風機能を使用する場合、ブラシ歯基部中空部４ａと、ブラシ柄６の内部を連通するように、開閉機構２４を回転させて、貫通部２４ａを連通部に合わせる。プッシュスイッチ２３をＯＮにすると、ファンモータ２５に通電され、ファン２１が回転することで空気吸入口６ｃからブラシ柄６の内部に空気が吸入される。また、電熱線２２にも通電されるので電熱線２２が発熱する。空気吸入口６ｃから吸入された空気は、電熱線２２で暖められて温風となる。温風は開閉機構２４の貫通部２４ａを通り、ブラシ歯基部中空部４ａに入り、ブラシ歯３に設けられている第１連通孔３ｃ、ブラシ歯中空部３ａ、を経て銀イオン水吐出孔３ｂから吹出される。
【００９７】
このようにすることで、ブラッシングの対象物（例えば、髪の毛やペットの毛等）が銀イオン水（金属イオン水）で濡れても温風により乾燥することが可能となる。また、止水弁１２を開けることで、温風を貯水タンク２内に通気し、貯水タンク２を乾燥することもできる。
【００９８】
なお、本実施例では、プッシュスイッチ２３をＯＮすると、電熱線２２にも通電される構成としたが、例えば、電熱線２２への通電をＯＮ、ＯＦＦするスイッチを別途設けても良い。あるいは、ロータリースイッチにより、第１段階はファンモータ２５に通電を行い、電熱線２２には通電を行わないで送風のみを行い、第２段階でファンモータ２５と電熱線２２とに通電して温風になるような構成にしても良い。このようにすることで、温風を送風する場合と、常温の風を送風することを選択することができる。また、電熱線２２の代わりに、ヒーターを用いても良い。
【００９９】
また、貯水タンク２とブラシ歯３、ブラシ歯基部４等から構成されるブラシ部と、ブラシ柄６とが着脱自在となっている場合、送風を行う場合には、ブラシ部を取り外し、貯水タンク２を持たない送風用ブラシ部に取り替えるようにしても良い。
【０１００】
図１９は本発明の第１０の実施の形態に係るブラシ１の概略垂直断面図である。第９の実施の形態において、前述の他の実施例について説明した構成部分と同じ部分については同一符号を付し、その説明を省略する。
【０１０１】
また、電気的な接続は第９の実施の形態と同じであるため説明は省略する。本実施例においては、ブラシ柄６の内部に送付手段であるファンモータ２５、ファン２１が設けられている。さらに送風手段で送られてくる空気を暖めるための電熱線２２が設けられている。ブラシ柄６にはファンモータ２５への通電をＯＮ、ＯＦＦ、及び電熱線２２への通電をＯＮ、ＯＦＦするためのスイッチであるプッシュスイッチ２３が設けられている。さらにブラシ柄６には、空気吸入口６ｃが設けられており、空気吸入口６ｃには、ゴミやホコリの侵入を防止するためのフィルタ（図示せず）が設けられている。また、ブラシ歯基部中空部４ａと、ブラシ柄６の内部とは連通されている。また、ブラシ歯面４ｂには、ブラシ歯基部中空部４ａと連通する吹出孔４ｆが設けられている。
【０１０２】
図１９（Ｂ）は、第１０の実施の形態に係るブラシ１のブラシ歯３とブラシ歯基部４周辺の概略垂直断面の拡大図である。ブラシ歯３はその一端がブラシ歯基部中空部４ａを貫通し、貯水タンク面４ｃを経て貯水タンク２内に突出するようになっている。ブラシ歯３は、内部が中空状（ブラシ歯中空部３ａ）になっており、貯水タンク２内に突出しているブラシ歯には第１連通孔３ｃ、対象物をブラッシングする部分には銀イオン水吐出孔３ｂが複数設けられているが、ブラシ歯基部中空部４ａ内に面している部分には孔は設けられていない。よって、ブラシ歯基部中空部４ａ内に銀イオン水が漏れることはない。
【０１０３】
動作について説明する。対象物をブラッシングする際、銀イオン水は貯水タンク２から第１連通孔３ｃ、ブラシ歯中空部３ａを経て、銀イオン水吐出孔３ｂから吐出される。これによって、対象物は、抗菌作用を持つ液体である銀イオン水により殺菌・抗菌される。
【０１０４】
続いて、送風手段を使用する場合について説明する。プッシュスイッチ２３をＯＮにすると、ファンモータ２５に通電され、ファン２１が回転することで空気吸入口６ｃからブラシ柄６の内部に空気が吸入される。また、電熱線２２にも通電されるので電熱線２２が発熱する。空気吸入口６ｃから吸入された空気は、電熱線２２で暖められて温風となる。温風は、ブラシ柄６の内部からブラシ歯基部中空部４ａに侵入し、吹出孔４ｆから吹出される。
【０１０５】
このようにすることで、ブラッシングの対象物（例えば、ペットや赤ちゃんの体）が銀イオン水（金属イオン水）で濡れても温風により乾燥することが可能となる。また、ブラッシングと同時に温風を吹出すようにするという使い方もできる。
【０１０６】
なお、本実施例では、プッシュスイッチ２３をＯＮすると、電熱線２２にも通電される構成としたが、例えば、電熱線２２への通電をＯＮ、ＯＦＦするスイッチを別途設けても良い。あるいは、ロータリースイッチにより、第１段階はファンモータ２５に通電を行い、電熱線２２には通電を行わないで送風のみを行い、第２段階でファンモータ２５と電熱線２２とに通電して温風になるような構成にしても良い。このようにすることで、温風を送風する場合と、常温の風を送風することを選択することができる。また、電熱線２２の代わりに、ヒーターを用いても良い。
【０１０７】
また、貯水タンク２とブラシ歯３、ブラシ歯基部４等から構成されるブラシ部と、ブラシ柄６とが着脱自在となっている場合、送風を行う場合には、ブラシ部を取り外し、貯水タンク２を持たない送風用ブラシ部に取り替えるようにしても良い。
【０１０８】
図２０は本発明の第１１の実施の形態に係るブラシ１の斜視図である。第１１の実施の形態において、前述の他の実施例について説明した構成部分と同じ部分については同一符号を付し、その説明を省略する。
【０１０９】
本実施例では、銀電極８ａ、８ｂに代えて、金属イオンである銀イオンを溶出するカートリッジ５０を給水タンク２内に着脱可能に設けられている。カートリッジ５０は、給水タンク２内で動かないように係止できるようになっている。カートリッジ５０は、銀イオンを溶出する物質（金属イオン溶出物質）をカートリッジ５０内に収めており、銀イオンの溶出量が減ったときはカートリッジ５０ごと交換できるようになっている。金属イオン溶出物質としては、金属イオンを担持しているゼオライト、シリカゲル、ガラス、リン酸カルシウム、リン酸ジルコニウム、ケイ酸塩、酸化チタン、ウィスカー、セラミックスなど、またはこれらの物質を含む樹脂や繊維などであるが、液体に浸漬することにより金属イオンが液体へと徐放または溶解できる構造を持つ物質であれば何でもよい。
【０１１０】
この構成にすれば、金属イオンを溶出するために、金属電極を電気分解するための電気的制御が必要ではなくなるため、部品点数が減りコスト削減が図れる。金属電極を電気分解するための制御部９、電池１０、スイッチ１１などが必要なくなるので、その分重量が軽減でき、ユーザーの使い勝手が向上する。さらに、電気的制御がないので、電気的故障の可能性がなく、信頼性が向上する。
【０１１１】
また、このカートリッジ５０に収められている金属イオン溶出物質には数年近く寿命があるものも存在する。従って一度セットすれば、かなり長い間使用することができるので、たいていの場所にある水を貯水タンク２に供給するだけで良く、ユーザーはトリートメントやグルーミングに必要な処理剤を購入する回数を減らすことができる。
【０１１２】
もちろん、本実施例においても、前述した他の実施例にあるように、貯水タンク２内の水を温めるためのヒーターを取り付けても構わないし、送風手段を設けて乾燥可能としても良い。
【０１１３】
図２１は本発明の第１２の実施の形態に係るブラシ１の概略垂直断面図である。第１１の実施の形態において、前述の他の実施例について説明した構成部分と同じ部分については同一符号を付し、その説明を省略する。
【０１１４】
本実施例では、ブラシ歯３の間に絡まった毛を取り除くための毛回収板６０がブラシ歯３の根元に設けられている。毛回収板６０には、ブラシ歯３の一本一本が個別に通る穴６０ａが設けられており、ブラシ歯３の根元から先端までスライド可能となっている。ブラシ歯３の先端は球状で、ブラシ歯３の他の部分よりも太くなっており、毛回収板６０が抜け落ちないようになっている。毛回収板６０は通常はブラシ歯３の根元に固定されている。固定方法としては、ブラシ歯３の根元付近の太さを毛回収板６０に設けられている穴６０ａとほぼ同じ大きさにすることで、ブラシ歯３と毛回収板との摩擦力により固定してある。他の固定方法としては、ブラシ歯３に突起部を設け、毛回収板６０を係止させる方法や、ブラシ歯基部４に係止する方法や、ブラシ歯面４ｂと毛回収板６０とに磁石、あるいは磁石と鉄板を取り付けて固定する方法や、スナップフィットなどを用いても良い。
【０１１５】
このような構成にすることで、ブラシ歯３に毛が絡まっている場合に、毛回収板６０をブラシ歯３の根元から先端までスライドさせ、絡まった毛をブラシ歯３の先端まで移動させることができ、絡まった毛を簡単に除去することができる。また、毛がブラシ歯３に絡まっている場合、金属イオン水である銀イオン水の吐出を妨げる可能性があるが、毛回収板６０を使って毛を簡単に取り除くことができるので、その可能性を低減することができる。
【０１１６】
なお、本実施例において、毛回収板６０は、ブラシ歯３の先端を球状にすることで抜け落ちないようになっているが、ブラシ歯３の先端を球状にせずに、毛回収板６０を抜け落ちるようにしておいても良い。
【０１１７】
なお、以上の実施例のブラシは、人間や動物などに使用すること（例えば、ヘアブラシやペット用ブラシ）を前提に説明を行ってきたが、無生物である例えば、絨毯、衣類のファーの手入れに使用する抗菌手入れ用ブラシに用いることも可能である。また、ブラシだけでなく、櫛に応用することもできる。
【０１１８】
以上の実施の形態は一例に過ぎず、ブラシの具体的な構成、金属電極（銀電極）の具体的な形状や構成、取り付け位置などについても、すべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【０１１９】
【図１】本発明の第１の実施の形態に係るブラシの斜視図である。
【図２】本発明の第１の実施の形態に係るブラシを垂直面で切断したときの概略垂直断面図である。
【図３】本発明の第１の実施の形態に係るブラシの電気回路の接続を現すブロック図である。
【図４】本発明の第１の実施の形態に係る貯水タンクとブラシ歯３とブラシ歯基部４との接続部分の垂直断面の一部を拡大した図である。
【図５】本発明の第１の実施の形態に係る極性反転回路の回路図である。
【図６】本発明の第２の実施の形態に係るブラシ１の概略垂直断面図である。
【図７】本発明の第３の実施の形態に係るブラシ１の概略垂直断面図である。
【図８】本発明の第４の実施の形態に係るブラシ１の概略垂直断面図である。
【図９】本発明の第５の実施の形態に係るブラシ１の概略垂直断面図である。
【図１０】本発明の第６の実施の形態に係るブラシ１の概略垂直断面図である。
【図１１】本発明の第６の実施の形態に係るブラシ１の止水弁１３とブラシ歯基部４が接する部分の拡大図である。
【図１２】本発明の第７の実施の形態に係るブラシ１の概略水平断面図及び概略垂直断面図である。
【図１３】本発明の第８の実施の形態に係るブラシ１の斜視図である。
【図１４】本発明の第８の実施の形態に係るブラシ１の概略垂直断面図である。
【図１５】本発明の第８の実施の形態に係る電気的接続を表すブロック図である。
【図１６】本発明の第８の実施の形態に係る貯水タンク２の水平断面図である。
【図１７】本発明の第９の実施の形態に係るブラシ１の概略垂直断面図である。
【図１８】本発明の第９の実施の形態に係る電気的接続を表すブロック図である。
【図１９】本発明の第１０の実施の形態に係るブラシ１の概略垂直断面図である。
【図２０】本発明の第１１の実施の形態に係るブラシ１の斜視図である。
【図２１】本発明の第１２の実施の形態に係るブラシ１の概略垂直断面図である。
【符号の説明】
【０１２０】
１      ブラシ
２      貯水タンク
３      ブラシ歯
３ａ    ブラシ歯中空部
３ｂ    銀イオン水吐出孔
３ｃ    第１連通孔
４      ブラシ歯基部
４ａ    ブラシ歯基部中空部
４ｂ    ブラシ歯面
４ｃ    貯水タンク面
４ｄ    連通孔
４ｅ    面連通孔
４ｆ    吹出孔
５      蓋
６      ブラシ柄
６ｃ    空気吸入口
７      給水口
８ａ    銀電極
８ｂ    銀電極
９      制御部
９ａ    トランジスタ（ＴｒＡ）
９ｂ    トランジスタ（ＴｒＢ）
９ｃ    トランジスタ（ＴｒＣ）
９ｄ    トランジスタ（ＴｒＤ）
１０    電池
１１    プッシュスイッチ
１２    止水弁
１２ａ  円錐部
１３    止水弁
１３ａ  止水部
１３ｂ  孔
１３ｃ  突出部
１４    止水弁
１４ａ  握り部
１４ｂ  止水部
１４ｃ  孔
１５    ブラシ歯キャップ
１６    網
１７ａ  磁石
１７ｂ  磁石
１８    ヒーター
１９    プッシュスイッチ
２０    面状ヒーター
２１    ファン
２２    電熱線
２３    プッシュスイッチ
２４    開閉機構
２４ａ  貫通部
２４ｂ  非貫通部
２５    ファンモータ
５０    カートリッジ
６０    毛回収板
６０ａ  穴
【図１】
2006271854.tif 000003
【図２】
2006271854.tif 000004
【図３】
2006271854.tif 000005
【図４】
2006271854.tif 000006
【図５】
2006271854.tif 000007
【図６】
2006271854.tif 000008
【図７】
2006271854.tif 000009
【図８】
2006271854.tif 000010
【図９】
2006271854.tif 000011
【図１０】
2006271854.tif 000012
【図１１】
2006271854.tif 000013
【図１２】
2006271854.tif 000014
【図１３】
2006271854.tif 000015
【図１４】
2006271854.tif 000016
【図１５】
2006271854.tif 000017
【図１６】
2006271854.tif 000018
【図１７】
2006271854.tif 000019
【図１８】
2006271854.tif 000020
【図１９】
2006271854.tif 000021
【図２０】
2006271854.tif 000022
【図２１】
2006271854.tif 000023